(57)【要約】【課題】軒樋を効率的にかつ迅速に取り付けできる軒樋支持具を提供する。【解決手段】軒樋支持具１は、軒樋４０を表裏より弾性挟持する挟持保持部１０を有している。この挟持保持部１０は、軒樋４０を着脱するための樋着脱口１１と、軒樋４０を表裏より押圧する樋押圧部１４と、軒樋４０の後耳４１を抱持する後耳抱持部１３とを備えている。【選択図】図１
2019100099.tif 000002
【特許請求の範囲】
【請求項１】
軒樋を表裏より弾性挟持する挟持保持部を有した軒樋支持具であって、
前記挟持保持部は、前記軒樋を着脱するための樋着脱口と、前記軒樋を表裏より押圧する樋押圧部と、前記軒樋の後耳を抱持する後耳抱持部とを備えていることを特徴とする軒樋支持具。
【請求項２】
請求項１において、
前記挟持保持部は表挟持片と裏挟持片とを組み合わせてなり、それらのうちのすくなくとも一方は、前記軒樋が前記樋押圧部で押圧された状態では前記軒樋の前耳を覆わない寸法とされることを特徴とする軒樋支持具。
【請求項３】
請求項２において、
前記表挟持片が前記裏挟持片とは別体の板ばねで形成されていることを特徴とする軒樋支持具。
【発明の詳細な説明】
【技術分野】
【０００１】
本発明は軒樋を支持する軒樋支持具に関する。
【背景技術】
【０００２】
軒樋支持具としては、軒樋を受け支持する軒樋受け具と、軒樋を吊り支持する軒樋吊り具とに大別され、それぞれ従来には多くのものが提案されている（たとえば、特許文献１、２参照）。
【先行技術文献】
【特許文献】
【０００３】
【特許文献１】特開２０１０−１２１４１９号公報
【特許文献２】特開２０１７−２０３２６８号公報
【発明の概要】
【発明が解決しようとする課題】
【０００４】
ところで、上記２種の軒樋支持具は、軒樋の支持の仕方こそ異なるが、いずれも軒樋の前耳と後耳のそれぞれを保持、係止する構造とされている。すなわち、軒樋受け具の場合、軒樋の裏面形状に略合致した形状の本体部の前端に前耳係止部が形成され、後端に後耳係止部が形成されている。また軒樋吊り具の場合、軒樋の前耳、後耳間を架け渡すようにした平板帯板状の本体部の前端に前耳係止部が形成され、後端に後耳係止部が形成されている。
【０００５】
したがって従来では、軒樋支持具に対する軒樋の取り付けにおいて、前耳と後耳の両方をそれぞれの係止部に係止する作業が必須の作業として発生していた。従来には、それらの作業を効率的に実施するための新規な構造が種々提案されているが、離間した２箇所での係止作業が必要であるため、効率性の向上には限界があった。
【０００６】
本発明は、このような事情を考慮して提案されたもので、その目的は、軒樋を効率的にかつ迅速に取り付けできる軒樋支持具を提供することにある。
【課題を解決するための手段】
【０００７】
上記目的を達成するために、請求項１に軒樋支持具は、軒樋を表裏より弾性挟持する挟持保持部を有した軒樋支持具であって、前記挟持保持部は、前記軒樋を着脱するための樋着脱口と、前記軒樋を表裏より押圧する樋押圧部と、前記軒樋の後耳を抱持する後耳抱持部とを備えていることを特徴とする。
【０００８】
請求項２に記載の軒樋支持具は、前記挟持保持部は表挟持片と裏挟持片とを組み合わせてなり、それらのうちのすくなくとも一方は、前記軒樋が前記樋押圧部で押圧された状態では前記軒樋の前耳を覆わない寸法とされることを特徴とする。
【０００９】
請求項３に記載の軒樋支持具は、前記表挟持片が前記裏挟持片とは別体の板ばねで形成されていることを特徴とする
【発明の効果】
【００１０】
請求項１に記載の軒樋支持具は上述した構成となっているため、軒樋を効率的にかつ迅速に取り付けできる。
【００１１】
請求項２に記載の軒樋支持具は上述した構成となっているため、全体の寸法を小さくできる。そのため、材料費を低減化でき、梱包箱等への梱包の効率を向上させることができる。
【００１２】
請求項３に記載の軒樋支持具は上述した構成となっているため、簡易に製造することができる。
【図面の簡単な説明】
【００１３】
【図１】本発明の一実施形態に係る軒樋支持具の部分拡大正面図付き側面図である。
【図２】（ａ）（ｂ）は同軒樋支持具に対する軒樋の取り付け手順を示した側面図である。
【図３】（ａ）（ｂ）は他の軒樋支持具の側面図である。
【発明を実施するための形態】
【００１４】
以下に、本発明の実施の形態について、添付図面を参照しながら説明する。なお以下の実施形態の説明においては、建物の軒先面等（鼻隠、垂木等）に取り付ける取付部３０側を後部とし、前方に突出した挟持保持部１０側を前部とする。また、軒樋支持具１、１Ａ、１Ｂは、軒樋４０（丸樋）の長手方向の適所（おおむね等間隔部位）に取り付けられ、前後方向に細長い帯板形状とされている。
【００１５】
以下に説明する種々の実施形態に係る軒樋支持具１、１Ａ、１Ｂは、図１および図３に示すように、軒樋４０を表裏より弾性挟持する挟持保持部１０を有したものである。挟持保持部１０は、軒樋４０を着脱するための樋着脱口１１と、軒樋４０を表裏より押圧する樋押圧部１４と、軒樋４０の後耳４１を抱持する後耳抱持部１３とを備えている。
【００１６】
また、いずれのものも挟持保持部１０は表挟持片２２と裏挟持片２１とを組み合わせてなり、それらのうちのすくなくとも一方は、軒樋４０が樋押圧部１４で押圧された状態では軒樋４０の前耳４２を覆わない寸法とされている。もちろんこれには限らず、表挟持片２２と裏挟持片２１の一方または両方が軒樋４０の前耳４２を覆うようにしたものとしてもよい。
【００１７】
さらに、いずれのものも、表挟持片２２が裏挟持片２１とは別体の板ばねで形成されている。これについても、この構成には限らず、挟持保持部１０を構成する表挟持片２２と裏挟持片２１とがヘアピンのような形状の一体構造のものであってもよい。また、裏挟持片２１が板ばねで形成されたものとしてもよい。
【００１８】
ついで、実施形態ごとに順次説明する。
【００１９】
図１に示した軒樋支持具１は丸樋を支持するものである。このものは、裏挟持片２１と、鉛直軒先面５０に取り付けられる取付部３０とで本体１６が構成され、この本体１６に、板ばねより形成された表挟持片２２を固着させて軒樋支持具１が構成されている。
【００２０】
取付部３０は、逆Ｌ字形状とされ、取り付け状態において略水平に配される杆部３１と、鉛直軒先面５０に取り付け固定される固定部３２とを備えている。固定部３２は、杆部３１の基部より折曲延出された、鉛直軒先面５０に当接するように配される添設部３２ａと、この添設部３２ａを前方より押さえるようにして鉛直軒先面５０に固定具３５止めされる固定片３２ｂとよりなる。
【００２１】
固定片３２ｂは、図１の拡大正面図に示すように、後部に凹部を有した中央基部３２ｂａと、その両側の押さえ部３２ｂｂとを備えた形状とされている。中央基部３２ｂａの裏側の凹部（不図示）には正面視でクロス状となるように添設部３２ａが配され、両部はリベット３６で固定されている。なお、これら両部の固定は現場へ持ち込む前にあらかじめなされていればよい。押さえ部３２ｂｂのそれぞれにはビス、釘等の固定具３５で固定部３２を鉛直軒先面５０に固定するための固定具挿通孔３２ｂｃが開設してある。
【００２２】
一方、裏挟持片２１は、取付部３０の杆部３１の前端の前方に一体的に延びてなる。その形状は側面視において軒樋４０の裏面形状におおむね合致した形状とされるが、軒樋４０の前耳４２、後耳４１間に跨ることはなく、その前後方向の寸法は、後耳４１から、軒樋本体４３の略中央（最低部４４の少し前方部）に及ぶ程度の寸法とされる。すなわち、裏挟持片２１の前端は、軒樋支持具１を鉛直軒先面５０に固定したときには、中央の最低位置よりもやや高い位置に配される。
【００２３】
裏挟持片２１の後端部（杆部３１との境界部に当たる部位）には、後方に凹んだ段差部２１ａが形成されている。軒樋４０を設置したときには、この段差部２１ａの凹所に軒樋４０の後耳４１が配される。段差部２１ａよりも前方部分は、軒樋４０の湾曲形状に略合致した形状とされている。
【００２４】
表挟持片２２は、軒樋４０の表面側に配される部材であり、おおむね軒樋４０の内底面に沿った形状とされ、その前端は裏挟持片２１の前端と略同じ位置とされるが、前端部には折曲部２２ｂを介して上方に開いたガイド部２４が形成してある。このガイド部２４と裏挟持片２１の前端部とにより樋着脱口１１が構成されている。
【００２５】
また、表挟持片２２は裏挟持片２１の段差部２１ａに相当する部位で折曲され、この折曲部２２ｂを介した後方に、取り付け状態で略水平となるように延出形成された板ばね基部２２ａを備えている。この板ばね基部２２ａは杆部３１の上面にリベット３７で固着されている。
【００２６】
また、表挟持片２２の本体の上端（折曲部２２ｂ近傍）と、裏挟持片２１の段差部２１ａとにより、内部に空間１３ａを有した後耳抱持部１３が形成してあり、この空間１３ａに軒樋４０の後耳４１が配され、保持される構成とされている。
【００２７】
さらに、表挟持片２２の本体は、その前後方向の略全長にわたり弾性的に付勢して、裏挟持片２１に対し接触または近接した状態とされた樋押圧部１４を有している。この表挟持片２２の弾性付勢力により、樋押圧部１４が裏挟持片２１の上面側に配された軒樋４０を押圧、挟持する。
【００２８】
本図例においては、樋押圧部１４は表挟持片２２の本体の略全長とされ、軒樋４０が装着されていない状態では、表挟持片２２の本体はその略全長が裏挟持片２１に対し接触、押圧した状態にある。なお、樋押圧部１４は表挟持片２２の略全長で構成されていなくてもよく、ガイド部２４の基部近傍の一部で構成されたものとしてもよい。
【００２９】
また、樋着脱口１１と後耳抱持部１３との間には樋着脱路１２が形成されている。この樋着脱路１２は、軒樋４０が装着されていない状態では、挿通していなくてもよく、樋押圧部１４により塞がれていてもよい。
【００３０】
以上に説明したように、この軒樋支持具１は軒樋４０を後部側で支持する片持ち吊り支持構造とされている。図１の例では、軒樋４０を挟持保持部１０に取り付けたときには、その前耳４２を含む前部側の略半分が露出した状態となる。
【００３１】
図２（ａ）（ｂ）は、この軒樋支持具１に対する軒樋４０の取り付け手順を示した側面図である。軒樋４０の前耳４２を上に、後耳４１を下にして内底面を後方に向けた状態で、後耳４１を樋着脱口１１に挿入し（図２（ａ）参照）、表挟持片２２と裏挟持片２１との間の樋着脱路１２をスライドするようにして、軒樋４０を挿入していく（図２（ｂ）参照）。
【００３２】
スライド中においては、軒樋４０の後耳４１が両片間に挟まれた状態となるため、表挟持片２２は図２（ｂ）のように上方に弾性的に開くが、後耳４１が後耳抱持部１３の空間に到達し、軒樋４０を裏挟持片２１に重ねた状態にすると、表挟持片２２は下方に弾性復帰していき、樋押圧部１４が軒樋４０内面に接触して下方に向けて弾性付勢した状態となって、軒樋４０を挟み込む（図１参照）。
【００３３】
以上のように、軒樋４０は、いったん軒樋支持具１に取り付けられると、後耳４１が後耳抱持部１３で保持された状態が維持され、その軒樋本体４３が弾性挟持され、固定された状態となる。
【００３４】
このように、この軒樋支持具１を用いれば、軒樋４０を効率的にかつ迅速に取り付けることができる。また、表挟持片２２および裏挟持片２１はその前端が前耳４２に及ばない寸法とされているため、従来のものより前後寸法を小さく形成でき、そのため材料費を低減化でき、梱包効率を向上させることもできる。さらに、表挟持片２２が別体の板ばねで形成されているため、挟持保持部１０を簡易に構成でき、軒樋支持具１を簡易に製造することができる。
【００３５】
また、樋着脱口１１は後耳抱持部１３の樋着脱路１２を介した前方に配されているため、軒樋４０の後耳４１を後耳抱持部１３の空間１３ａに配するための操作は後耳４１を樋着脱口１１に挿入し、樋着脱路１２をスライドさせていくだけでよく、操作を簡易に行える。
【００３６】
ついで、丸樋用の他の軒樋支持具について、図３を参照しながら説明する。図３（ａ）（ｂ）はいずれも、垂木５１の長手方向に沿って取り付け固定される形状とされている。なお、挟持保持部１０の構成は図１のものとおおむね同じである。また、これら２例についても、裏挟持片２１と取付部３０とで本体１６を構成している。
【００３７】
図３（ａ）のものは、垂木５１の側面に固定される取付部３０を有している。取付部３０は、垂木５１の側面に固定される固定具挿通孔３２ｃ付きの固定部３２と、固定部３２の前端側に延びた杆部３１とよりなる。固定部３２はひねり加工にて、板面が側方を向くように形成されている。
【００３８】
また、挟持保持部１０は、杆部３１の前方に延出した裏挟持片２１と、杆部３１の上面にリベット３７で固着された板ばね基部２２ａを有した表挟持片２２とにより構成されている。
【００３９】
なお、段差部２１ａ、後耳抱持部１３、樋着脱口１１、樋着脱路１２等については、図１のものとおおむね同形状であり、その説明は省略する。また、この軒樋支持具１Ａの効果についても図１のものと同様であるため説明は省略する。
【００４０】
図３（ｂ）のものは、垂木５１の正面より突き刺して固定される取付部３０を有している。取付部３０は、先端が尖鋭状とされる固定部３２と、固定部３２の前端より上方に突出した支持部３３とよりなる。この支持部３３の上端が裏挟持片２１の最低部に固着されている。
【００４１】
挟持保持部１０は、この裏挟持片２１と、裏挟持片２１の段差部２１ａの後面にリベット３７で固着された板ばね基部２２ａを有した表挟持片２２とにより構成されている。
【００４２】
また、裏挟持片２１は図３（ａ）のものとは異なり、前端が図２（ａ）のものよりも前方に配されるように長く形成されている。一方、表挟持片２２の前端位置は図３（ａ）のものとおおむね同位置とされる。すなわち、図３（ｂ）に示すように、表挟持片２２と裏挟持片２１の前端位置は前後位置に差があり、図２（ａ）のものにくらべて樋着脱口１１が前後方向に長い。
【００４３】
このように樋着脱口１１が前後方向に長いため、軒樋４０を装着する際に、後耳４１を裏挟持片２１の前方に突出した部位のガイド部２５（ガイド面）に沿わせ滑らせながらスライド装着することができ、取り付けをさらにしやすくすることができる。
【００４４】
なお、段差部２１ａ、後耳抱持部１３、樋着脱口１１、樋着脱路１２等については、図１のものとおおむね同形状であり、その説明は省略する。また、この軒樋支持具１Ｂの効果についても図１のものと同様であるため説明は省略する。
【００４５】
以上に示した３形態の軒樋支持具１、１Ａ、１Ｂは、表挟持片２２に板ばねを用いているが、裏挟持片２１に板ばねを用いたものとしてもよい。また、以上には丸樋を対象とした軒樋支持具１、１Ａ、１Ｂを例示したが、角樋を対象とした構成であってもよい。
【符号の説明】
【００４６】
１、１Ａ、１Ｂ    軒樋支持具
１０              挟持保持部
１１              樋着脱口
１２              樋着脱路
１３              後耳抱持部
１３ａ            空間
１４              樋押圧部
１６              本体
２１              裏挟持片
２１ａ            段差部
２２              表挟持片
２４、２５        ガイド部
３０              取付部
３１              杆部
３２              固定部
３３              支持部
３５              固定具
３６、３７        リベット
４０              軒樋
４１              後耳
４２              前耳
４３              軒樋本体
【図１】
2019100099.tif 000003
【図２】
2019100099.tif 000004
【図３】
2019100099.tif 000005